(57)【要約】【課題】  内部の容積を大きくすることができ、密封性が非常に良好な磁気ディスク装置。【解決手段】  底面と四方側面からなり上面部が開口された箱形の容器Ａと、上面と四方側面からなり底部面が開口され、前記容器Ａよりも若干寸法が大きい箱形の蓋体Ｂからなり、該蓋体Ｂを前記容器Ａの上に被せることにより中空部を有する箱体を形成するものであり、該中空部に磁気ディスク媒体、ヘッド、アクチュエータが配設される、磁気ディスク装置において、蓋体Ｂの上面と四方側面のコーナー部に硬化性液状樹脂を硬化させて成るビード状のシール材を形成し、容器Ａの四方側面の上端部が前記シール材に接触していることを特徴とする磁気ディスク装置。【選択図】図２
2006196104.tif 000002
【特許請求の範囲】
【請求項１】
底面と四方側面からなり上面部が開口された箱形の容器Ａと、上面と四方側面からなり底部面が開口され、前記容器Ａよりも若干寸法が大きい箱形の蓋体Ｂからなり、該蓋体Ｂを前記容器Ａの上に被せることにより中空部を有する箱体を形成するものであり、該中空部に磁気ディスク媒体、ヘッド、アクチュエータが配設される、磁気ディスク装置において、蓋体Ｂの上面と四方側面のコーナー部に硬化性液状樹脂を硬化させて成るビード状のシール材を形成し、容器Ａの四方側面の上端部が前記シール材に接触していることを特徴とする磁気ディスク装置。
【請求項２】
前記硬化性液状樹脂がエネルギー線照射により硬化する光硬化性樹脂である請求項１に記載の磁気ディスク装置。
【発明の詳細な説明】
【技術分野】
【０００１】
本発明は、磁気ディスク装置に関する発明であり、内部の容積を大きくすることができ、密封性が非常に良好な磁気ディスク装置に関するものである。
【背景技術】
【０００２】
昨今磁気ディスク装置すなわちハードディスクドライブユニット（以下、ＨＤＤという）は記録密度の大容量化と共に小型化が急速に進んでいる。パーソナルコンピュータ用途では３．５インチ型が普及しているが、ノートパソコンやモバイル用パソコン、また、自動車車載用や家庭用ビデオディスクなどの用途に２．５インチ型ＨＤＤの需要が高まって来ている。さらにポ−タブルミュージックプレーヤーなどのモバイルオーディオ機器類では１．８インチ型ＨＤＤや１．０インチ型ＨＤＤなどのように小型化が要求され、需要が急激に伸びている。更に、今後は携帯電話や携帯用ゲーム機などに搭載可能な、より小型化された０．８５インチ型ＨＤＤの開発、商品化が進んでいおり、ＨＤＤの小型化の要求はとどまることがない。
【０００３】
一方、ＨＤＤは磁気ディスク媒体上に微小空間を保ちつつ、磁気ヘッドを浮上させて磁気記録再生を行っている。そのため、粉塵を嫌い、ＨＤＤ容器は厳重に密封される必要がある。通常、ＨＤＤは図４に示されるように、基台と蓋部からなり基台に環状のシール材やガスケットを形成することにより、密封されている。特許文献１では芯板の両面に加硫ゴムを一体化した環状のガスケットを開示し、特許文献２では、光硬化性などの硬化性樹脂をディスペンサーによって塗布後、硬化させることによりシール材を形成するものが開示されている。
【特許文献１】特開平４−３４１９８６号公報
【特許文献２】特開２００３−１２０８１９号公報
【発明の開示】
【発明が解決しようとする課題】
【０００４】
基本的に小型ＨＤＤは３．５インチ型ＨＤＤと原理、仕組みは同じであるため、スケールを小さくすることにより達成することはできる。しかし、単にスケールを小さくするのみでは、記録容量も小さくなってしまう。よって、磁気ディスクの直径をできるだけ大きくして、ＨＤＤの外寸を小さくすることが理想的である。しかしながら、現状のＨＤＤはシール材やガスケットを形成する幅すなわちシール代が必要であり、シール代を形成しない場合には、ＨＤＤの外周をアルミテープなどを巻き付け密閉保護することがなされている。
【０００５】
しかし、アルミテープなどで外周を巻き付けて、密封性を達成した場合、アルミテープなどの部材の管理、およびＨＤＤ本体への巻き付け工程が煩雑であり、生産効率が悪い。そればかりでなく、ＨＤＤの外側に貼り付けるものであるため、ＨＤＤ取付時などにアルミテープが傷ついてしまったり、はがれてしまったりするおそれがあり、密封性能に対する信頼性が低い。
【０００６】
本発明は上記従来技術の欠点を改良するものであり、ＨＤＤの磁気ディスク媒体の径を小さくすることなくＨＤＤ全体の大きさを下げることができるものであり、かつ、優れた密封性能を長期間にわたって発揮することができ、粉塵や化学物質などの異物を外部から遮断することができるものである。
【課題を解決するための手段】
【０００７】
すなわち、本発明の請求項１による磁気ディスク装置は、底面と四方側面からなり上面部が開口された箱形の容器Ａと、上面と四方側面からなり底部面が開口され、前記容器Ａよりも若干寸法が大きい箱形の蓋体Ｂからなり、該蓋体Ｂを前記容器Ａの上に被せることにより中空部を有する箱体を形成するものであり、該中空部に磁気ディスク媒体、ヘッド、アクチュエータが配設される、磁気ディスク装置であり、蓋体Ｂの上面と四方側面のコーナー部に硬化性液状樹脂を硬化させて成るビード状のシール材を形成し、容器Ａの四方側面の上端部が前記シール材に接触していることを特徴とするものである。
【０００８】
また、本発明の請求項２による磁気ディスク装置は、前述の請求項１にの磁気ディスク装置において、前記硬化性液状樹脂がエネルギー線照射により硬化する、光硬化性樹脂であるものである。
【０００９】
本発明の磁気ディスク装置に用いられる容器は底面と四方側面からなり上面部が開口された箱形の容器Ａと、上面と四方側面からなり底部面が開口された箱形の蓋体Ｂからなる。蓋体Ｂの四方側面が容器Ａよりも若干寸法が大きく形成されていることにより、蓋体Ｂの四方側面が容器Ａの四方側面よりも外側にはめ込まれ、中空部を有する箱体を形成することができる。ここで、容器Ａと蓋体Ｂの関係は、蓋体Ｂが容器Ａよりも若干大きく、蓋体Ｂが容器Ａの外側に被せられるかどうかということであり、容器Ａと蓋体Ｂよりなる箱体の蓋体Ｂ側を必ずしも磁気ディスク装置の上面として使用しなければならないというのではない。すなわち、蓋体Ｂ側を磁気ディスク装置の底面として使用してもかまわない。
【００１０】
また、蓋体Ｂが若干寸法が大きいというのは、容器Ａの四方側面の平行する面の外側の距離すなわち外寸と蓋体Ｂの四方側面の平行する面の内側の距離すなわち内寸が略等しい状態が好ましく、この場合、容器Ａの四方側面の外側が蓋体Ｂの四方側面の内側に隙間なく接することができる。
【００１１】
また、蓋体Ｂの上面と四方側面のコーナー部には硬化性樹脂を硬化させて成るビード状のシール材が形成される。シール材は蓋体Ｂの上面と四方側面の両方に接触していなくてはならない。このようなシール材は硬化性の液状樹脂をディスペンサーにより、上面と四方側面のコーナー部に一周にわたって環状に塗布し、硬化させることにより得ることができる。このような液状樹脂としてはエポキシ樹脂、シリコーン樹脂、ウレタン樹脂、アクリル樹脂、ゴム組成物またはこれらの変成物によって形成される物であって、塗布時に塗布形状を維持するために適度な粘度及びチクソ性を付与されていることが好ましい。
【００１２】
前記液状樹脂は、塗布時に液状であり塗布後硬化するものであるのでれば、溶剤揮散型の樹脂やホットメルト型の樹脂でも良いが、組み付け後の耐久性等を考慮すると反応硬化型の物が望ましい。硬化反応としては、加熱硬化、湿気硬化、光硬化やそれら硬化反応の組み合わせ等を挙げることができるが、生産性を考慮すると加熱硬化あるいは光硬化が望ましく、特に光硬化が望ましい。このような液状樹脂の中でも、ＨＤＤの使用時の信頼性を考慮すると有機系スズ化合物を含まない例えばＷＯ９９／５１６５３に記載されているような（メタ）アクリレート等が最適である。
【００１３】
使用される液状樹脂は、粘度が１００００ｃＰ〜４０００００ｃＰに設定されるとともに、チクソ比が４〜１０に設定されるような構成であることが好ましい。この場合、粘度が１００００ｃＰ未満またはチクソ比が４未満であると、ディスペンサーによる塗布時において、液だれが生じ、シール材が蓋体Ｂの四方側面に接する接触面積が少なくなってしまう。また、粘度が４０００００ｃｐを超えるまたはチクソ比が１０を超えるとディスペンサーによる塗布が困難になったり、塗布物の糸引きが起こり角状の突起が形成されやすくなる。さらに、シール材を環状に形成するためには塗布開始点と塗布終了点を重ねる必要があるが、上述の範囲でない場合、重ね部分がその他の部分に比べ大きくなってしまうことがある。また、液状樹脂が硬化した硬化物すなわちシール材は圧縮による反発を生じる弾性を有するものが好ましい。
【００１４】
また、本発明の容器Ａの四方側面の上端部は前記シール材に接触している必要がある。これは、容器Ａの四方側面の上端部とシール材との接触により密封性を発揮するからである。よって、好ましくは容器Ａの四方側面の上端部がシール材を充分圧縮するような形態であることが好ましい。
【発明の効果】
【００１５】
従来のＨＤＤは略平面形状のトップカバーを用い、容器本体にシール代を確保してそこにシール材を配設し締結していたが、本発明によれば容器Ａと蓋体Ｂの両方に、四方側面を有し一面が開口された箱状物を用い、それらを被せる様に容器を形成し、かつ蓋体Ｂの上面と四方側面のコーナー部に硬化性樹脂を硬化させて成るビード状のシール材を形成し、容器Ａの四方側面の上端部が前記シール材を圧縮することによりシール性を確保するため、従来の構造よりもシールのために必要なスペースが小さくなり、容器の内容積を増加させることができる。よって、より大きい磁気記録媒体を用いることができる。逆に言えば、同じ記憶容量であれば、ＨＤＤの寸法を小さくすることができる。よって、外部記憶装置が必要な機器に置いて、本発明を用いた磁気ディスク装置を用いた場合、機器全体が軽薄短小可が可能になる。
【発明を実施するための最良の形態】
【００１６】
図１は本発明の実施の形態である磁気ディスク装置の概略構成を示す平面図である。図２は図１のｘ−ｘ’における断面図である。図１において、容器（１）中に磁気ディスク媒体（２０）、スピンドルモータ（２１）、アクチュエータ（２２）、ボイスコイルモータ（２３）などの磁気記録装置を構成するディスク機構が収納されている。図２において、容器（１）は容器Ａ（１ａ）と蓋体Ｂ（１ｂ）が組み合わさって構成される。２ａは容器Ａの底面であり、３ａは容器Ａの四方側面である。容器Ａの四方側面（３ａ）は容器Ａの底面（２ａ）の端部全周に上方向に略垂直に延設されており、上面を開口とした箱状になっている。同様に２ｂは蓋体Ｂの上面であり、３ｂは蓋体Ｂの四方側面である。蓋体Ｂの四方側面（３ｂ）は蓋体Ｂの上面（２ｂ）の端部全周に下方向に略垂直に延設されており、底面を開口とした箱状になっている。
【００１７】
蓋体Ｂ（１ｂ）は容器Ａ（１ａ）よりも若干大きく形成されており、蓋体Ｂ（１ｂ）を容器Ａ（１ａ）に被せると、蓋体Ｂの四方側面（３ｂ）は容器Ａの四方側面（３ａ）の外側に位置することとなる。また、蓋体Ｂ（１ｂ）の上面（２ｂ）と四方側面（３ｂ）のコーナー部（４ｂ）にはシール材（１０）が形成される。
【００１８】
シール材（１０）の形成はウレタン（メタ）アクリレート主成分の光硬化性の液状樹脂を用いた。該液状樹脂を図示しない自動塗布装置によりコーナー部（４ｂ）に全周にわたって塗布された。塗り始め部と塗り終わり部は塗布量を調節しながら重ね合わせることにより、その他の部分と同様に均一に環状のビード状に塗布された。塗布完了後、直ちに紫外線を照射し液状樹脂を硬化させ、ビード状のシール材を形成できた。この状態を図３に示す。
【００１９】
容器Ａ（１ａ）に蓋体Ｂ（１ｂ）を被せ、図示しないネジなどの締結部材で締結することにより、容器Ａの四方側面（３ａ）はシール材（１０）に当接し、シール材の圧縮反発力により、密封性を得ることができる。
【産業上の利用可能性】
【００２０】
本発明の磁気ディスク装置の容器は小型パソコン、携帯電話、携帯オーディオ再生機、携帯ゲーム機などの記憶装置となる磁気ディスク装置に有用に用いることができる。
【図面の簡単な説明】
【００２１】
【図１】本発明を用いた磁気ディスク装置の概略構成を示す平面図。
【図２】図１のｘ−ｘ’における断面図。
【図３】本発明の
【図４】従来の磁気ディスク装置。
【符号の説明】
【００２２】
１    容器
１ａ    容器Ａ
１ｂ    蓋体Ｂ
２ａ    容器Ａの底面
２ｂ    蓋体Ｂの上面
３ａ    容器Ａの四方側面
３ｂ    蓋体Ｂの四方側面
４ｂ    コーナー部
１０    シール材
２０    磁気ディスク媒体
２１    スピンドルモータ
２２    アクチュエータ
２３    ボイスコイルモータ
【図１】
2006196104.tif 000003
【図２】
2006196104.tif 000004
【図３】
2006196104.tif 000005
【図４】
2006196104.tif 000006